(57)【特許請求の範囲】
【請求項１】
支柱の端部に伸縮支柱を進退自在に連設し、同伸縮支柱の側面にラックを形成するとともに、同ラックに係合する係合ラックを形成したラックシューを支柱に枢着し、同ラックシューをラックに近接・離反する方向に揺動させることにより、ラックにラックシューを係脱可能に構成してなる伸縮支柱の固定部構造において、
前記ラックシューに前後回動自在に枢着され、当該ラックシューに係脱自在としたストッパーと、
このストッパーを後方に回動するように付勢するストッパー付勢スプリングと、を備え、
前記ストッパーを前記ラックシューに係合させて当該ラックシューが前記ラックから離反する方向に回動するのを阻止する一方、
前記ストッパーを、前記ストッパー付勢スプリングの付勢力に抗して前方に回動させ、このストッパーに連動して前記ラックシューをラックから離反する方向に回動させ、前記ラックシューと前記ラックとの係合を解除するように構成したことを特徴とする伸縮支柱の固定部構造。
【請求項２】
支柱の端部に伸縮支柱を進退自在に連設し、同伸縮支柱の側面にラックを形成するとともに、同ラックに係合する係合ラックを形成したラックシューを支柱に枢着し、同ラックシューをラックに近接・離反する方向に揺動させることにより、ラックにラックシューを係脱可能に構成してなる伸縮支柱の固定部構造において、
前記ラックシューに、前記係合ラックと平行に直進し中途で前記係合ラックに近接する方向に折曲したカム溝を設けるとともに、前記カム溝に挿通するカム駆動ピンを備えたストッパを設けて当該ストッパと前記ラックシューとを連動連結し、
前記カム溝に前記カム駆動ピンを係止させて前記ラックシューがラックから離反する方向に回動するのを阻止する一方、
前記ストッパーを、前記ストッパー付勢スプリングの付勢力に抗して下方へ移動させ、このストッパーに連動して前記ラックシューを回動させて当該ラックシューと前記ラックとの係合を解除するように構成したことを特徴とする伸縮支柱の固定部構造。
【請求項３】
前記ラックシューは、係合ラックの表面硬度を前記伸縮支柱に形成したラックの表面硬度よりも高くしたことを特徴とする請求項１又は請求項２記載の伸縮支柱の固定部構造。
【発明の詳細な説明】
【０００１】
【発明の属する技術分野】
本発明は、伸縮梯子、脚立、梯子兼用脚立、作業用足場等の伸縮支柱の固定部構造に関するものである。
【０００２】
【従来の技術】
従来の伸縮梯子等の伸縮支柱の固定部構造としては、例えば、特開平8-68283 号公報に開示されているものがある。
【０００３】
すなわち、支柱の端部に伸縮支柱を進退自在に連設し、同伸縮支柱の側面にラックを形成するとともに、同ラックに係合する係合ラックを伸縮支柱の先端に向けて形成したラックシューを、ラックとラックシューとの係合位置よりも上方位置において支柱に枢着し、同ラックシューをラックに近接・離反する方向に揺動させることにより、ラックにラックシューを係脱可能に構成してなる伸縮支柱の固定部構造が開示されている。
【０００４】
【発明が解決しようとする課題】
ところが、上記従来の伸縮支柱の固定部構造にあっては、ラックとラックシューとの係合位置よりも上方位置でラックシューを支柱に枢着しているため、伸縮支柱を伸長する方向、すなわち鉛直下向きの力が伸縮支柱に作用すると、ラックシューにはラックから離反する方向に回動させる力が作用することとなり、ラックとラックシューとの係合が容易に解除されてしまうという不具合があった。
【０００５】
そのため、梯子等の運搬中に支柱から伸縮支柱が不用意に伸長してしまい、使い勝手が悪いものであった。
【０００６】
しかも、伸縮支柱が支柱から伸長する際に、ラックシューの先端に形成した係合ラックとラックとが擦れ、ラックシューの係合ラック及びラックが摩耗し、時には破損してしまい、ラックとラックシューとの係合ができなくなるという問題点があった。
【０００７】
【課題を解決するための手段】
そこで、本発明は、支柱の端部に伸縮支柱を進退自在に連設し、同伸縮支柱の側面にラックを形成するとともに、同ラックに係合する係合ラックを形成したラックシューを支柱に枢着し、同ラックシューをラックに近接・離反する方向に揺動させることにより、ラックにラックシューを係脱可能に構成してなる伸縮支柱の固定部構造において、前記ラックシューに前後回動自在に枢着され、当該ラックシューに係脱自在としたストッパーと、このストッパーを後方に回動するように付勢するストッパー付勢スプリングと、を備え、前記ストッパーを前記ラックシューに係合させて当該ラックシューが前記ラックから離反する方向に回動するのを阻止する一方、前記ストッパーを、前記ストッパー付勢スプリングの付勢力に抗して前方に回動させ、このストッパーに連動して前記ラックシューをラックから離反する方向に回動させ、前記ラックシューと前記ラックとの係合を解除するように構成した。
【０００８】
また、支柱の端部に伸縮支柱を進退自在に連設し、同伸縮支柱の側面にラックを形成するとともに、同ラックに係合する係合ラックを形成したラックシューを支柱に枢着し、同ラックシューをラックに近接・離反する方向に揺動させることにより、ラックにラックシューを係脱可能に構成してなる伸縮支柱の固定部構造において、前記ラックシューに、前記係合ラックと平行に直進し中途で前記係合ラックに近接する方向に折曲したカム溝を設けるとともに、前記カム溝に挿通するカム駆動ピンを備えたストッパを設けて当該ストッパと前記ラックシューとを連動連結し、前記カム溝に前記カム駆動ピンを係止させて前記ラックシューがラックから離反する方向に回動するのを阻止する一方、前記ストッパーを、前記ストッパー付勢スプリングの付勢力に抗して下方へ移動させ、このストッパーに連動して前記ラックシューを回動させて当該ラックシューと前記ラックとの係合を解除するように構成した。
【０００９】
しかも、前記ラックシューの係合ラックの表面硬度を前記伸縮支柱に形成したラックの表面硬度よりも高くすることとした。
【００１０】
【発明の実施の形態】
本実施形態に係る伸縮支柱の固定部構造は、伸縮梯子、脚立、梯子兼用脚立、作業用足場等の支柱の端部に伸縮支柱を進退自在に連設し、同伸縮支柱の側面にラックを形成するとともに、同ラックに係合する係合ラックを形成したラックシューを支柱に枢着し、同ラックシューをラックに近接・離反する方向に揺動させることにより、ラックにラックシューを係脱可能に構成してなる伸縮支柱の固定部構造において、前記ラックシューに前後回動自在に枢着され、当該ラックシューに係脱自在としたストッパーと、このストッパーを後方に回動するように付勢するストッパー付勢スプリングと、を備え、前記ストッパーを前記ラックシューに係合させて当該ラックシューが前記ラックから離反する方向に回動するのを阻止する一方、前記ストッパーを、前記ストッパー付勢スプリングの付勢力に抗して前方に回動させ、このストッパーに連動して前記ラックシューをラックから離反する方向に回動させ、前記ラックシューと前記ラックとの係合を解除するように構成したものである。
【００１１】
ラックシューは、ラックと係合する凹凸状の係合ラックを伸縮支柱の先端に向けて形成し、しかも、上部にストッパーを前後回動自在に枢着している。
【００１２】
ストッパーは、後部に操作部としての操作レバーを形成するとともに、同操作部の基端から前方に向けて係止爪を形成し、同係止爪の下面に平面状の係止面を形成している。
【００１３】
そして、ラックシューの上端に平面状の係止面を形成するとともに、ラックシユーの前方上部に前方下方に向けて傾斜状の連動面を形成し、ラックとラックシューとの係合時においては、ストッパーの係止面とラックシューの係止面とが当接し、ラックとラックシューとの係合解除時においては、ストッパーの係止面とラックシューの連動面とが当接するようにしている。
【００１４】
従って、ラックとラックシューの係合時に、伸縮支柱を短縮させる方向に力が作用すると、ラックとラックシューとが係合しているために、ラックシューには、ラック側へ回動させる力が作用することとなり、ラックとラックシューとの係合力が一層増加し、支柱に伸縮支柱が強固に固定される。
【００１５】
一方、伸縮支柱を伸長させる方向に力が作用すると、ラックシューにはラックから離反する方向に回動させる力が作用することとなるが、ラックシユー上端の係止面がストッパーの係止面に当接しているとともに、ストッパーの係止爪先端がラックに当接しているため、ラックシューの回動は阻止される。
【００１６】
さらに、ストッパーを前方に回動すると、ストッパーの係止面がラックシューの連動面を押圧し、ストッパーに連動してラックシューが後方に回動し、ラックシューとラックの係合を解除することができる。
【００１７】
また、本実施形態に係る伸縮支柱の固定部構造は、支柱の端部に伸縮支柱を進退自在に連設し、同伸縮支柱の側面にラックを形成するとともに、同ラックに係合する係合ラックを形成したラックシューを支柱に枢着し、同ラックシューをラックに近接・離反する方向に揺動させることにより、ラックにラックシューを係脱可能に構成してなる伸縮支柱の固定部構造において、前記ラックシューに、前記係合ラックと平行に直進し中途で前記係合ラックに近接する方向に折曲したカム溝を設けるとともに、前記カム溝に挿通するカム駆動ピンを備えたストッパを設けて当該ストッパと前記ラックシューとを連動連結し、前記カム溝に前記カム駆動ピンを係止させて前記ラックシューがラックから離反する方向に回動するのを阻止する一方、前記ストッパーを、前記ストッパー付勢スプリングの付勢力に抗して下方へ移動させ、このストッパーに連動して前記ラックシューを回動させて当該ラックシューと前記ラックとの係合を解除するように構成したものである。
【００１８】
また、本発明では、前記ラックシューの係合ラックの表面硬度を前記伸縮支柱に形成したラックの表面硬度よりも高くしている。従って、ラックの表面が係合ラックの表面よりも先に摩耗し、外部から容易に目視できるラックの表面状態を見ることにより、ロック装置に内蔵されたラックシューの交換が必要か否かの判断が行える。特に、ラックの表面を着色することにより、ラックの表面の摩耗の度合いを容易に視認することができる。
【００１９】
【実施例】
以下、本発明の実施例について添付図面を用いて具体的に説明する。
【００２０】
図１及び図２は、本発明に係る伸縮支柱の固定部構造を具備する作業用足場を示した図であり、作業用足場１は、足場板２の左右両端に前後一対の支柱3,3 を、揺動自在に枢支し、同支柱３の下端に伸縮支柱４を進退自在に連設しており、支柱３の下端には、支柱３に伸縮支柱４を固定するためのロック装置５を取付けている。
【００２１】
また、前後一対の支柱3,3 間には、複数の踏杆57を上下に間隔を開けて架設している。
【００２２】
そして、作業用足場１の設置面６の凹凸に合わせて伸縮支柱４を支柱３に対して伸縮させて、足場板２を水平状態に保持することができるものである。
【００２３】
以下に作業用足場１の各部の構成について詳細に説明する。
【００２４】
支柱３は、図５に示すように、断面略コ字状に形成しており、その内側方に断面略ロ字状に形成した伸縮支柱４を支柱３の内側面７に沿って上下摺動自在に保持している。
【００２５】
伸縮支柱４は、図３〜図５に示すように、内側面に凹凸状のラック８を上下方向に連続させて形成している。
【００２６】
ロック装置５は、図３〜図５に示すように、支柱３の左右側壁9,10間にラックシュー支持ブラケット11を固設し、同ラックシュー支持ブラケット11にラックシュー12の中途部を前後揺動自在に枢着している。図中、13は揺動軸、14は取付リベットである。
【００２７】
ラックシュー12は、前方下部にラック８と係合する凹凸状の係合ラック15を形成している。
【００２８】
同係合ラック15の裏面とラックシュー支持ブラケット11の後壁16との間には、ラックシュー付勢スプリング17を介設しており、ラックシュー12をラック８側へ付勢して、ラック８とラックシュー12との係合を確実なものとしている。
【００２９】
また、ラックシュー12は、上部にストッパー18を前後回動自在に枢着している。
【００３０】
ストッパー18は、後部に操作部19としての操作レバーを形成するとともに、同操作部19の基端から前方（ラック８側）に向けて係止爪20を形成し、同係止爪20の下面に平面状の係止面21を形成しており、同係止面21とラックシュー支持ブラケット11の後壁16との間には、ストッパー付勢スプリング22を介設している。
【００３１】
また、ストッパー18は、ラック８とラックシュー12との係合時及び係合解除操作時に、係止面21がラックシュー12に当接するようにしている。すなわち、ラックシュー12の上端に平面状の係止面23を形成するとともに、ラックシユー12の前方上部に前方下方に向けて傾斜状の連動面24を形成し、ラック８とラックシュー12との係合時においては、ストッパー18の係止面21とラックシュー12の係止面23とが当接し（図６(a) 参照）、ラック８とラックシュー12との係合解除時においては、ストッパー18の係止面21とラックシュー12の連動面24とが当接するようにしている（図６(b)(c)参照）。
【００３２】
尚、ラックシュー支持ブラケット11の左側面に、係合状態確認窓25を穿設する一方、ラックシュー12の左側面に赤色表示26及び青色表示27を付着し、ラック８とラックシュー12との係合時においては、係合状態確認窓25に青色表示27が現出し、一方、ラック８とラックシュー12との係合解除時においては、係合状態確認窓25に赤色表示26が現出するようにして、外部から目視によりラック８とラックシュー12との係合状態を容易に確認することができるようにしている。
【００３３】
また、作業用足場１は、軽量化を図るために、支柱３、伸縮支柱４、ラックシュー12等をアルミニウムを用いて形成している。
【００３４】
しかも、伸縮支柱４のラック８の表面には、普通色付アルマイト加工や焼付塗装等の表面処理を施す一方、ラックシュー12に形成した係合ラック15の表面には、無電解ニッケルメッキや硬質アルマイト加工等の表面処理を施して、ラック８の表面硬度よりも係合ラック15の表面硬度を向上させている。
【００３５】
このように、ラック８の表面硬度よりも係合ラック15の表面硬度を向上させることにより、ラック８の表面が係合ラック15の表面よりも先に摩耗するようにしているため、外部から容易に目視できるラック８の表面状態を見ることにより、ロック装置５に内蔵されたラックシュー12の交換が必要か否かの判断が行える。
【００３６】
しかも、ラック８の表面を着色しているため、ラック８の表面の摩耗の度合いを容易に視認することができる。
【００３７】
ロック装置５は、上述したように構成しており、その動作について以下に説明する。
【００３８】
ロック装置５は、ロック時においては、図６(a) に示すように、ラック８とラックシュー12とが係合し、支柱３に伸縮支柱４を固定して、伸縮支柱４が伸縮しないようにしている。
【００３９】
すなわち、図６(a) に示すラック８とラックシュー12の係合時においては、伸縮支柱４を短縮させる方向（図６(a) 中、伸縮支柱４を上方に移動させる方向）に力が作用すると、ラック８とラックシュー12とが係合しているために、ラックシュー12には、ラック８側へ回動させる力が作用することとなり、ラック８とラックシュー12との係合力が一層増加し、支柱３に伸縮支柱４が強固に固定され、従って、伸縮支柱４は短縮されない。
【００４０】
特に、作業用足場１の使用状態においては、上述したような、ラック８とラックシュー12とが係合している状態で伸縮支柱４を短縮させる方向に荷重が作用することとなるため、支柱３に伸縮支柱４が強固に固定されることとなり、作業用足場１の安全性を向上させることができる。
【００４１】
一方、伸縮支柱４を伸長させる方向（図６(a) 中、伸縮支柱４を下方に移動させる方向）に力が作用すると、ラックシュー12にはラック８から離反する方向に回動させる力が作用することとなる。しかしながら、図６(a) に示すように、ラックシユー12上端の係止面23がストッパー18の係止面21に当接しているとともに、ストッパー18の係止爪20先端がラック８に当接しているため、ラックシュー12の回動は阻止される。従って、伸縮支柱４は伸長されない。
【００４２】
このように、ロック装置５のロック時においては、伸縮支柱４に伸長又は短縮のいずれの方向の力が作用しても、支柱３に伸縮支柱４が強固に固定されることとなる。
【００４３】
そのため、本実施例においては、支柱３の下方に伸縮支柱４を配置しているが、上下逆に配置して、伸縮支柱４の下方に支柱３を配置しても、支柱３に伸縮支柱４を強固に固定することができる。これにより、作業用足場１等の設計時の自由度が拡大される。
【００４４】
ロック装置５のロック状態を解除するには、ストッパー付勢スプリング22の付勢力に抗して、ストッパー18の操作部19を押圧操作し、ストッパー18を前方に回動させる。すると、ストッパー18の係止面21がラックシュー12上端の係止面23から離反し、さらにストッパー18を前方に回動させると、図６(b) に示すように、ストッパー18の係止面21がラックシュー12前方上部の連動面24に当接する。
【００４５】
さらに、ストッパー18を前方に回動させると、図６(c) に示すように、ストッパー18の係止面21がラックシュー12の連動面24を押圧し、ストッパー18に連動してラックシュー12が後方に回動し、ラックシュー12とラック８の係合が解除される。
【００４６】
従って、ロック装置５によるロックが解除され、伸縮支柱４を伸長又は短縮させることができる。
【００４７】
そして、伸縮支柱４を支柱３の下端から所望の長さだけ伸長又は短縮させた後、ストッパー18の操作部19の押圧操作を停止すると、ストッパー付勢スプリング22の付勢力によって、ストッパー18は後方に回動して、図６(a) に示すロック状態になる。
【００４８】
次に、本発明に係る伸縮支柱の固定部構造の第２実施例としてのロック装置の構成について説明する。
【００４９】
ロック装置28は、図７〜図９に示すように、支柱３と踏杆29との隅部に装着しており、支柱３の左右側壁9,10間にラックシュー支持ブラケット30を跨設し、同ラックシュー支持ブラケット30にラックシュー31及びストッパー32を前後揺動自在に枢着している。図中、33は揺動軸、34は取付リベットである。
【００５０】
ラックシュー31は、前方下部にラック８と係合する凹凸状の係合ラック35を形成するとともに、後方下部に係止面36を形成し、後方上部に連動面37を形成している。
【００５１】
ストッパー32は、下部前方に係止面38を形成するとともに、上部後方に操作部39としての操作レバーを形成しており、同操作部39の前方に連動面40を形成している。図中、41はストッパー付勢スプリング、42は係止状態確認窓である。
【００５２】
本実施例に係るロック装置28は、上述したように構成しており、その動作について以下に説明する。
【００５３】
ロック装置28は、ロック時においては、図10(a) に示すように、ラック８とラックシュー31とが係合し、支柱３に伸縮支柱４が伸縮しないようにしている。
【００５４】
すなわち、図10(a) に示す状態において、伸縮支柱４を短縮させる方向（図10(a) 中、伸縮支柱４を上方に移動させる方向）に力が作用すると、前記実施例と同様に、ラック８とラックシュー31との係合力が一層増加し、支柱３に伸縮支柱４が強固に固定される。
【００５５】
一方、伸縮支柱４を伸長させる方向（図10(a) 中、伸縮支柱４を下方に移動させる方向）に力が作用すると、ラックシュー31には、ラック８から離反する方向に回動させる力が作用することとなるが、ラックシュー31の係止面36がストッパー32の係止面38に当接しており、しかも、ラックシュー31の回動中心とストッパー32の回動中心とが異なるため、ラックシュー31の回動が阻止され、伸縮支柱４は支柱３から伸長しない。
【００５６】
ロック装置28のロック状態を解除するには、ストッパー付勢スプリング41の付勢力に抗して、ストッパー32の操作部39を押圧操作し、ストッパー32を前方に回動させる。すると、図10(b) に示すように、ストッパー32の係止面38がラックシュー31の係止面36から離反した後、ストッパー32の連動面40がラックシュー31の連動面37に当接する。
【００５７】
さらに、ストッパー32を前方に回動させると、図10(c) に示すように、ストッパー32の連動面40がラックシュー31の連動面37を押圧し、ストッパー32に連動してラックシュー31が後方に回動し、ラックシュー31とラック８との係合が解除される。
【００５８】
次に、本発明に係る伸縮支柱の固定部構造の第３実施例としてのロック装置の構成について説明する。
【００５９】
ロック装置43は、図11〜図13に示すように、支柱３の左右側壁9,10間にラックシュー支持ブラケット44を跨設し、同ラックシュー支持ブラケット44にラックシュー45を前後揺動自在に枢着するとともに、正面視門型形状のストッパー46をラックシュー支持ブラケット44の左右側壁の内側面に沿って摺動自在に配設している。図中、47は揺動軸、48はガイド長孔、49は取付リベットである。
【００６０】
ラックシュー45は、前方下部にラック８と係合する凹凸状の係合ラック50を形成するとともに、中途部に、係合ラック50と平行に直進し中途で折曲して係合ラック50に近接する方向に直進するカム溝51を形成している。
【００６１】
ストッパー46は、上端に操作部52を形成するとともに、下部にカム駆動ピン53を突設しており、同カム駆動ピン53は、ラックシュー45のカム溝51に挿通している。図中、54はストッパー付勢スプリング、55はラックシュー支持ブラケット44の後壁57に取付けたスプリング支持台、56は係止状態確認窓である。
【００６２】
本実施例に係るロック装置43は、上述したように構成しており、その動作について以下に説明する。
【００６３】
図14(a) に示すロック装置43のロック状態において、伸縮支柱４を短縮させる方向（図14(a) 中、伸縮支柱４を上方に移動させる方向）に力が作用しても、前記実施例と同様に、支柱３に伸縮支柱４が強固に固定される。
【００６４】
一方、伸縮支柱４を伸長させる方向（図14(a) 中、伸縮支柱４を下方に移動させる方向）に力が作用すると、ラックシュー45には、ラック８から離反する方向に回動させる力が作用することとなる。
【００６５】
しかしながら、図14(a) に示すように、ラックシュー45のカム溝51にストッパー46のカム駆動ピン53が係止されているため、ラックシュー45の回動が阻止され、伸縮支柱４は支柱３から伸長しない。
【００６６】
ロック装置43のロック状態を解除するには、ストッパー付勢スプリング54の付勢力に抗して、ストッパー46の操作部52を押圧操作する。すると、図14(b) に示すように、ストッパー46にラックシュー45がカム機構を介して連動連結しているために、ストッパー46の下方への移動に連動して、ラックシュー45が後方に回動し、ラックシュー45とラック８との係合が解除される。
【００６７】
しかも、ストッパー46の操作部52の押圧操作を停止すると、ストッパー付勢スプリング54の付勢力によってストッパー46が上方に移動するとともに、それに連動してラックシュー45が前方に回動して、図14(a) に示すロック状態となる。
【００６８】
【発明の効果】
本発明は、以上説明してきたような形態で実施され、以下に記載されるような効果を奏する。
【００６９】
(1)本発明では、ラックシューの回動を阻止するストッパーをラックシューに対して係脱自在に設けているため、ストッパーがラックシューに係合する状態においては、ラックシューの回動が阻止され、ラックとラックシューとの係合を確実に維持することができる。従って、作業用足場等の安全性を向上させることができる。また、ラックシューがストッパーの移動に連動して、ラックから離反する方向に回動するようにしているため、ストッパーを押圧操作することにより、ストッパーとラックシューとの係合が解除されるとともに、ストッパーの移動に連動してラックシューが回動し、ラックとラックシューとの係合が解除されることとなり、一連の操作を連続的に円滑に行うことができ、操作性を向上させることができる。
【００７０】
(2)また、前記ラックシューの係合ラックの表面硬度を前記伸縮支柱に形成したラックの表面硬度よりも高くしているため、ラックの表面が係合ラックの表面よりも先に摩耗し、外部から容易に目視できるラックの表面状態を見ることにより、ロック装置に内蔵されたラックシューの交換が必要か否かの判断が行える。特に、ラックの表面を着色することにより、ラックの表面の摩耗の度合いを容易に視認することができる。
【図面の簡単な説明】
【図１】本発明に係る伸縮支柱の固定部構造を具備する作業用足場を示す正面図。
【図２】同側面図。
【図３】ロック装置の側面図。
【図４】同正面図。
【図５】同平面断面図。
【図６】ロック装置の動作説明図。
【図７】第２実施例としてのロック装置の側面図。
【図８】同正面図。
【図９】同平面断面図。
【図１０】第２実施例としてのロック装置の動作説明図。
【図１１】第３実施例としてのロック装置の側面図。
【図１２】同正面図。
【図１３】同平面断面図。
【図１４】第３実施例としてのロック装置の動作説明図。
【符号の説明】
１  作業用足場
２  足場板
３  支柱
４  伸縮支柱
５  ロック装置
８  ラック
12  ラックシュー
15  係合ラック
18  ストッパー
19  操作部
22  ストッパー付勢スプリング
【図１】
0003857376.tif 000002
【図２】
0003857376.tif 000003
【図３】
0003857376.tif 000004
【図４】
0003857376.tif 000005
【図５】
0003857376.tif 000006
【図６】
0003857376.tif 000007
【図７】
0003857376.tif 000008
【図８】
0003857376.tif 000009
【図９】
0003857376.tif 000010
【図１０】
0003857376.tif 000011
【図１１】
0003857376.tif 000012
【図１２】
0003857376.tif 000013
【図１３】
0003857376.tif 000014
【図１４】
0003857376.tif 000015